(57)【要約】      （修正有）【課題】本発明の目的は、２つの案内及び締結機能を最適化する、ブレスレットの長さを調節するための案内及び締結解決策を提供することである。【解決手段】案内及び締結システム１０を含む、ブレスレットの長さの調節用装置であって、案内及び締結システム１０の案内装置により定義される軸Ａ１周りに回転可能に取り付けられる少なくとも１つの調節リンク要素２３を含み、案内及び締結システム１０は更に弾性締結機能を果たすために弾性性質を含む弾性締結装置を含み、２つの案内及び弾性締結装置は、とりわけ締結機能の実施にあたり、両者とも軸Ａ１周りに配置され、及び調節装置の少なくとも１つの構成において、弾性締結装置は、調節リンク要素２３に接続される端部リンク要素２５の弾性固定を、特に端部リンク要素２５の調節リンク要素２３に対する、または調節リンク要素２３の相対的弾性固定を提供する、ブレスレットの長さの調節用装置。【選択図】図５
2018118030.tif 000002
【特許請求の範囲】
【請求項１】
案内及び締結システム（１０、３０、４０、５０）を含む、ブレスレットの長さの調節用装置であって、
前記案内及び締結システム（１０、３０、４０、５０）の案内装置により定義される回転軸（Ａ１）周りに回転可能に取り付けられる少なくとも１つの調節リンク要素（２３）を含み、前記案内及び締結システム（１０、３０、４０、５０）は更に弾性締結機能を果たすために弾性性質を含む弾性締結装置を含み、前記２つの案内及び弾性締結装置は、とりわけ弾性締結機能の実施にあたり、両者とも前記軸（Ａ１）周りに配置され、及び前記調節装置の少なくとも１つの構成において、前記弾性締結装置は、前記調節リンク要素（２３）に接続される端部リンク要素（２５）の弾性固定を、特に前記端部リンク要素（２５）の前記調節リンク要素（２３）に対する相対的弾性固定を提供する、
ブレスレットの長さの調節用装置。
【請求項２】
前記２つの案内及び弾性締結装置は、互いに独立してそれぞれの機能を果たすことができる、
請求項１に記載のブレスレットの長さの調節用装置。
【請求項３】
前記２つの案内及び弾性締結装置は、同一の軸（Ａ１）に沿って延長する、
請求項１または２に記載のブレスレットの長さの調節用装置。
【請求項４】
前記２つの案内及び弾性締結装置は、別個の部品により完全にまたは一部形成される、
請求項１から３のいずれか一項に記載のブレスレットの長さ調節用装置。
【請求項５】
前記弾性締結装置は、ばね要素、とりわけ巻きばね（３５、６５）またはばね管（１５）を含む、
請求項１から４のいずれか一項に記載のブレスレットの長さ調節用装置。
【請求項６】
前記案内装置は、少なくとも１つのバー（１２、３２、４２、５２）を含む、
請求項１から５のいずれか一項に記載のブレスレットの長さ調節用装置。
【請求項７】
前記案内及び締結システムの横領域において、周囲の少なくとも一部にわたり案内表面を形成するバー（１２）と、前記案内及び締結システムの中央部に配置され、前記バーの周りに配置されるばね管（１５）とを含み、前記ばね管（１５）は、前記弾性締結機能を果たすために、前記バー（１２）に接触することなく、前記バー（１２）に向かって弾性移動可能である、
請求項１から６のいずれか一項に記載のブレスレットの長さ調節用装置。
【請求項８】
前記案内及び締結システムの横部に少なくとも１つの案内表面を含むバー（３２）と、前記バー（３２）の空洞容積内に収容される予圧ばね（３５）の影響下で前記バー（３２）の軸に平行に移動可能なボール（４５）とを含み、前記ボール（４５）は前記バー（３２）から突出可能である、
請求項１から６のいずれか一項に記載のブレスレットの長さ調節用装置。
【請求項９】
前記バー（３２）は、調節リンク要素（２３）を留め金カバー（２４）へ接続可能にするために、２つの端部の１つに配置されるスタッド（３８）を含み、前記調節リンク要素（２３）を前記留め金カバー（２４）に対して旋回運動を案内可能な案内表面を形成する外周（３３）を含む、
請求項８に記載のブレスレットの長さ調節用装置。
【請求項１０】
周囲表面に少なくとも１つの案内表面を有するバー（４２）と、１つは（４５）中心に１つ（４６）は横にある２つのボールであって同一の予圧ばね（３５）の影響下で前記バー（４２）の両端において前記バー（４２）の軸に平行に移動可能である２つのボールと、前記バー（４２）の空洞容積内に収容されるストップ（４７）とを含み、前記ボール（４５、４６）は前記バーから突出可能である、
請求項１から６のいずれか一項に記載のブレスレットの長さ調節用装置。
【請求項１１】
前記案内装置は、パッド及びまたはスタッドにより留め金カバー（２４）と接続可能な端部を含むバーを含み、留め金カバー（２４）に対して調節リンク要素（２３）を案内可能な案内表面を形成する外周を含む、
請求項１から１０のいずれか一項に記載のブレスレットの長さ調節用装置。
【請求項１２】
前記案内装置は、調節リンク要素（２３）を留め金カバー（２４）に対して回転及びまたは多少並進状に案内可能な案内表面を含む、
請求項１１に記載のブレスレットの長さ調節用装置。
【請求項１３】
前記調節リンク要素（２３）は、前記案内及び締結システム（１０、３０、４０、５０）の前記軸（Ａ１）とは別個の軸（Ａ２）の第２ピボットピン（２６）を含み、前記第２ピボットピン周りにブレスレットの端部リンク要素（２５）が配置され、及び前記端部リンク要素（２５）は、前記端部リンク要素を前記調節リンク要素（２３）に対して弾性不動化する前記弾性締結装置と協働する、
請求項１から１２のいずれか一項に記載のブレスレットの長さ調節用装置。
【請求項１４】
前記端部リンク要素（２５）は、弾性締結を達成するために前記案内及び締結システムのばね管（１５）を圧縮する少なくとも１つの切欠き（２２）を含み、または前記端部リンク要素の少なくとも１つの壁は、弾性締結を達成するためにばね（３５）により予圧されたボール（４５）と噛み合う切欠き（２９）を含む、
請求項１３に記載のブレスレットの長さ調節用装置。
【請求項１５】
前記端部リンク要素（２５）は、弾性締結を達成するために前記案内及び締結システムのばね管（１５）を圧縮する少なくとも１つの切欠き（２２）を含み、前記案内及び締結システム（１０）の前記案内装置は、旋回を案内するために前記少なくとも１つの調節リンク要素（２３）と協働する案内表面を含むバー（１２）を含み、前記ばね管（１５）は、前記ばね管（１５）が前記バー（１２）から独立し逆もまた同様であるように、その端部の少なくとも１つに、前記少なくとも１つの調節リンク要素（２３）に属する補完的案内表面（２３０）と協働するために存在する案内表面が設けられた部分（１６）を有する、
請求項１３に記載のブレスレットの長さ調節用装置。
【請求項１６】
前記少なくとも１つの調節リンク要素（２３）は、前記バー（１２）を収容するための開放端の孔と、前記補完的案内表面（２３０）を形成し前記ばね管（１５）の１つの端部を受け入れる他の孔を含む、
請求項１５に記載のブレスレットの長さ調節用装置。
【請求項１７】
前記２つの案内及び弾性締結装置が前記２つの装置を相互に締結する位置において同一の横軸（Ａ１）上で整列するよう、前記案内装置は調節リンク要素（２３）内に配置され、前記弾性締結装置は端部リンク要素（２５）内に配置される、
請求項１から１３のいずれか一項に記載のブレスレットの長さ調節用装置。
【請求項１８】
請求項１から１７のいずれか一項に記載の調節装置を少なくとも１つ含む、ブレスレットの展開留め金。
【請求項１９】
請求項１から１７のいずれか一項に記載のブレスレット長さ調節装置または請求項１８に記載の展開留め金を含む、ブレスレット。
【請求項２０】
請求項１９に記載のブレスレットを少なくとも１つ含む、腕時計。
【発明の詳細な説明】
【技術分野】
【０００１】
本発明は、特に延長装置が設けられた及びまたはブレスレットの２つの端部の間に収められた展開留め金が設けられた腕時計ブレスレットに適した、ブレスレット用の特定の案内及び締結システムを含む、ブレスレットの長さの調節用装置に関する。本発明はまた、このようなブレスレットの長さ調節装置を包含する留め金及びブレスレットそのもの、及び当該装置を含む腕時計そのものに関する。
【背景技術】
【０００２】
ブレスレット、とりわけ腕時計のブレスレット、具体的にはブレスレットの長さの調節装置において、案内及び締結機能を発揮することを必要とする、いくつかの状況がある。
【０００３】
例えば、装着者の手首周りに小型時計ブレスレットの２つのバンドを締結するよう設計された留め金は、閉鎖第１位置と開放第２位置とを取ることができるいくつかの連節されたリーフを含み、閉鎖第１位置においては閉鎖位置を安定化させるために締結機能が必要となり、開放第２位置ではリーフが締結されておらずブレスレットの装着または取り外しが可能となる。
【０００４】
更に、留め金は、通常、従来の調節と呼ばれる、ブレスレットに対する位置決め用の第１調節が設けられる。しかしながら、得られる最終的な長さは、多くの場合十分でなく、最適ではない。
【０００５】
このため、既存の留め金には、ブレスレットの長さに施すべき第２調節を可能にする解決策が設けられ、これは従来の第１調節を補完するための、快適性調節と呼ばれる。特許文献１は、旋回し、ブレスレットの２つの異なる長さを実現する２つの安定位置を占めることが可能な調節リンクに依拠する、解決策が開示される。短い位置は、ブレスレットの端部リンクの切欠きで保持され、調節リンクをその短い位置で捕え、弾性的に不動化する。当該解決策は、短い位置での安定を保証するため、いくつかのリンクの連節とリンクの締結を必要とする。
【０００６】
特許文献２に記載のような他の留め金は、水中使用のために設計された延長システムを採用する。このような解決策も同様に、延長効果を得るために、２つの案内及び締結機能の実施を必要とする。
【０００７】
最後に、上述例には、特に長さ調節装置において、連節と弾性締結とを用いる、多数のブレスレット解決策が存在することが記載される。
【先行技術文献】
【特許文献】
【０００８】
【特許文献１】欧州特許出願公開第０８１９３９１号明細書
【特許文献２】欧州特許出願公開第２６０１８５５号明細書
【発明の概要】
【発明が解決しようとする課題】
【０００９】
本発明の全体的な目的は、既存の解決策を改善し、とりわけ２つの案内及び締結機能を最適化する、ブレスレットの長さを調節するための案内及び締結解決策を提供することである。
【００１０】
具体的には、本発明は、動作に信頼性があり操作が便利な、ブレスレットの長さを調節する解決策、または更にはブレスレットを締結するための解決策を提案する。
【００１１】
更に具体的には、本発明の１つの目的は、２つの案内及び弾性締結機能の信頼性のある動作を達成可能な、ブレスレット用の案内及び締結解決策を提供することである。
【００１２】
本発明の第２の目的は、ブレスレットの審美的完全性を保証する、ブレスレット用の案内及び締結解決策を提供することである。
【課題を解決するための手段】
【００１３】
このため、本発明は、案内及び締結システムを含む、ブレスレットの長さの調節用装置であって、前記案内及び締結システムの案内装置により定義される回転軸周りに回転可能に取り付けられる少なくとも１つの調節リンク要素を含み、当該案内及び締結システムは更に弾性締結機能を果たすために弾性性質を含む弾性締結装置を含み、これら２つの案内及び弾性締結装置は、とりわけ弾性締結機能の実施にあたり、両者とも前記軸周りに配置され、及び前記調節装置の少なくとも１つの構成において、前記弾性締結装置は、前記調節リンク要素に接続される端部リンク要素の弾性不動化を、特に前記端部リンク要素の前記調節リンク要素に対する相対的弾性不動化を提供する、ブレスレットの長さの調節用装置に依拠する。
【００１４】
本発明はまた、ブレスレット用の案内及び締結システムであって、案内機能を実施することができる案内装置と弾性締結機能を果たすことができる弾性締結装置を含み、これら２つの案内及び弾性締結装置が、とりわけ前記締結機能の実施にあたり同一軸周りに配置されるブレスレット用の案内及び締結システムに依拠する。
【００１５】
本発明は具体的には請求項により定義される。
【００１６】
本発明のこれらの目的、特徴と利点は、添付の図面を参照して与えられる非限定的な特定の実施態様の説明において、詳細に説明される。
【図面の簡単な説明】
【００１７】
【図１】図１は、本発明の第１実施形態に属する案内及び締結システムを組み込んだ留め金の斜視図である。
【図２】図２は、延伸構成にある本発明の第１実施形態による案内及び締結システムを組み込んだ、ブレスレットの長さの調節用装置の領域における、留め金の斜視図である。
【図３】図３は、作動構成にある本発明の第１実施形態による案内及び締結システムを組み込んだ、ブレスレットの長さの調節用装置の領域における、留め金の斜視図である。
【図４】図４は、短縮構成にある本発明の第１実施形態に属する案内及び締結システムを組み込んだ、ブレスレットの長さの調節用装置の領域における、留め金の斜視図である。
【図５】図５は、本発明の第１実施形態による案内及び締結システムの領域の、留め金の断面図である。
【図６】図６は、本発明の第２実施形態による案内及び締結システムを組み込んだ留め金の、長さの調節用装置の領域における、短縮構成にある留め金の縦断面図である。
【図７】図７は、短縮構成にある本発明の第２実施形態による案内及び締結システムを組み込んだブレスレットの長さの調節用装置の領域における、留め金の斜視図である。
【図８】図８は、作動構成にある本発明の第２実施形態による案内及び締結システムを組み込んだブレスレットの長さの調節用装置の領域における、留め金の斜視図である。
【図９】図９は、本発明の第２実施形態に属する案内及び締結システムの領域における、留め金の断面図である。
【図１０】図１０は、本発明の第３実施形態に属する案内及び締結システムの断面図である。
【図１１】図１１は、延伸構成における本発明の第３実施形態に属する案内及び締結システムを組み込んだ、ブレスレットの長さを調節する装置の領域における、留め金の斜視図である。
【図１２】図１２は、短縮構成における本発明の第３実施形態に属する案内及び締結システムを組み込んだブレスレットの、長さを調節する装置の領域における、留め金の縦断面図である。
【図１３】図１３は、本発明の第３実施形態に属する案内及び締結システムの領域における、短縮構成の留め金の断面図である。
【図１４】図１４は、本発明の第３実施形態に属する案内及び締結システムの領域における、作動段階にある留め金の断面図である。
【図１５】図１５は、本発明の第４実施形態に属する案内及び締結システムの領域における、短縮構成の留め金の断面図である。
【図１６】図１６は、第１調節による、本発明の第４実施形態に属する案内及び締結システムを組み込んだ、ブレスレットの長さの調節用装置の領域における、留め金の斜視図である。
【図１７】図１７は、第２調節による、本発明の第４実施形態に属する案内及び締結システムを組み込んだ、ブレスレットの長さの調節用装置の領域における、留め金の斜視図である。
【図１８】図１８は、第３調節による、本発明の第４実施形態に属する案内及び締結システムを組み込んだブレスレットの、長さの調節用装置の領域における、留め金の斜視図である。
【図１９】図１９は、本発明の第５実施形態に属する案内及び締結システムを組み込んだ、ブレスレットの長さの調節用装置の領域における、短縮構成の留め金の縦断面の断面図である。
【図２０】図２０は、本発明の第５実施形態に属する案内及び締結システムを組み込んだ、ブレスレットの長さの調節用装置の領域における、延伸構成の留め金の縦断面の断面図である。
【発明を実施するための形態】
【００１８】
わかりやすさのため、「縦方向」とはブレスレットバンドまたは留め金の長さに沿った方向を意味し、「横方向」とはブレスレットバンド（の幅に沿った）平面または留め金の平面内での鉛直方向を意味するものとして用いる。垂直方向とは、最初の２つの方向に鉛直で、ブレスレットの平面に鉛直に向かう方向である。さらに、「リンク要素」の文言は、ブレスレットの基本構成要素として用いられ、「リンク」の文言はリンク要素の集合として用いられる。「ブレスレット」は、留め金の有無にかかわらずブレスレット全体として、またはブレスレットのバンドの一方または他方を意味するものとして用いられる。さらに、類似または同一または同一機能を提供する要素を意味するものとして、いろいろな実施形態において同じ参照番号が用いられる。
【００１９】
本発明は、案内及び締結の複合システムに依拠する。本発明の第一実施形態に係る長さ調節装置の案内及び締結システムは、特許文献１に開示の解決策に類似の構造を用いて、図１に示すように、留め金内でブレスレットの長さを調節する機能に貢献する。このようなブレスレットの端部は、前述の通り、従来の初期の調節に加えて、ブレスレットの長さのわずかな変更を可能にするよう構成される、長さを調節する、具体的には快適さのために調節する装置に接続される。
【００２０】
展開留め金２は、ピン３周りに互いに連節される、２つのリーフ２ａ、２ｂを含む。これらリーフのうちの１つ、リーフ２ａは、ブレスレット１の第１端部１ａに連節され、当該ブレスレットの第２端部１ｂは２つの平行な側壁２ｃ１、２ｃ２が設けられる留め金のカバー２４に連節され、当該カバー２４は、その下でリーフ２ａ、２ｂが折り畳まれるキャップを形成する。当該カバー２４の２つの平行な側壁２ｃ１、２ｃ２は、対で互いに対向し、以下に説明するピボットピンを受け入れるための、二連の孔４を含む。
【００２１】
具体的には図５に図示される、本発明の当該第１実施形態に属する案内及び締結システム１０は、後により詳細に説明されるように、ブレスレットの第２端部１ｂに、軸Ａ１周りに配置される。当該案内及び締結システムは、第１には、留め金のカバー２４下に配置される調節リンク要素２３、２３’用の連節ピンを形成する。これら調節リンク要素２３、２３’は、とりわけ図２に図示されるように、第２軸Ａ２周りに配置される第２ピボットピン２６により接続される。第２軸Ａ２は案内及び締結システム１０の軸Ａ１とは異なる軸であり、第２ピボットピン２６周りに、ブレスレット１の端部１ｂに存在する端部リンク要素２５が回転可能に取り付けられる。
【００２２】
図２は、延伸構成におけるブレスレットの端部１ｂの配置を図示する。調節リンク要素２３、２３’は、第２ピボットピン２６が、第１軸Ａ１に対して、留め金のカバー２４の外側に向くよう位置される。このため、端部リンク要素２５は、第２ピボットピン２６と第３ピン２７の間で、ブレスレットに向かって延長する。第３ピンは、ブレスレットバンドの残りが接続される第２端部１ｂに向かって位置される。
【００２３】
図３は、作動中の、とりわけ延伸構成から短縮構成へ通過するために作動中の、同じ配置を図示する。そのため、調節リンク要素２３、２３’は、軸Ａ１周りに回転するよう作動され、これによりピボットピン２６を軸Ａ１周りに留め金のカバー内に向けて旋回させ、端部リンク要素２５をカバー内に向けて駆動させ、ブレスレット１の長さを減少させる。 この調節リンク要素２３、２３’の回転は、図４に図示する短縮構成が達成されるまで、およそ１／２回転継続する。
【００２４】
第１実施形態にかかる長さ調節装置の案内及び締結システム１０は、軸Ａ１周りに配置され、調節リンク要素２３、２３’を連節する第１機能と、以下に説明するように、短縮構成を安定状態に維持可能にする、弾性締結の第２機能とを実行する。
【００２５】
図５は、案内及び締結システム１０の軸Ａ１の範囲の配置を、垂直横断面図にて示す。
【００２６】
まず第一に、案内及び締結システム１０は、留め金の全幅にわたり横方向に延長し、中心軸Ａ１周りに配置される、実質的に円筒状のバー１２を含み、留め金のカバー２４の側壁２ｃ１、２ｃ２の孔４内に収容される、それぞれの端部ピース１３、１３’を含む。保持ばね１４は、バー１２が装着され除去されるように、またバー１２が動作構成に安定に維持するように、２つの端部ピース１３、１３’の間で、圧縮構成で、軸Ａ１に沿って、円筒状ロッド１２０内に配置される。ロッド１２０は、案内表面１１、１１’を形成する周囲表面を含み、その周りに調節リンク要素２３、２３’の回転がそれぞれ配置され、とりわけ調節リンク要素に帰属する穴により形成される補完的表面により配置される。このためバー１２は、案内及び締結システム１０の案内装置を形成する。リンク要素２３は、バー１２を通過させるため、開放端の孔を含む。
【００２７】
更に、案内及び締結システムは、中央位置においてバー１２周りに配置されるばね管１５を含む。ばね管１５は、圧縮管を形成する。ばね管１５の軸は、バー１２と同じ軸Ａ１である。このため、ばね管１５は、ばね管１５が周囲を囲むバー１２に対して、同軸に配置される。ばね管１５は、案内及び締結システム１０の締結装置を形成し、弾性締結の第２機能を果たす。このため、本実施形態において、ブレスレットが短縮構成にあるときに、ばね管１５の少なくとも１部分は、端部リンク要素２５の作動の下、具体的には端部リンク要素２５の切欠き２２の作動の下、圧縮されるように設計される。管の圧縮は、その周壁の、軸Ａ１に実質的に垂直な方向への、すなわちバー１２の方向への、弾性変形を引き起こす。端部リンク要素２５との協働により、端部リンク要素２５を締結し、短縮構成において全体配置を安定に維持する。所定の力により意図的に端部リンク要素２５を引くことで、この弾性締結を脱し、ブレスレットの延伸構成に戻すことができる。
【００２８】
案内及び締結システム１０のばね管１５とバー１２との接続は、ばね管１５はバー１２と独立しており、逆もまた同様であるようにされる。具体的には、ばね管１５は、その両端に、案内表面が設けられた部分１６、１６’を有し、案内表面は例えば両リンク要素の孔２３０、２３０’により具現化された、調節リンク要素２３、２３’の補完的案内表面と協働するよう設計される。このように、ばね管１５は、圧縮されるとばね管１５の内径がバー１２の外周と衝突しないように、配置され寸法づけられている。このため、ばね管は弾性変形自由であり、バー１２に対して影響を及ぼさず、その案内機能を妨げることがない。反対に、バー１２はその案内機能において、ばね管１５の弾性機能になんら影響を及ぼさない。
【００２９】
この結果、案内及び締結システム１０の２つの案内及び締結装置は、最低限のかさばりであって、留め金のまたはブレスレットの審美眼的外観を損なわない、小型装置を形成するよう、互いに結合される。両装置はまた、簡単に、ブレスレットに組付けられ組み込まれることができる。
【００３０】
更に、案内及び締結システムの両装置、それぞれ案内及び締結装置は、互いに独立している。これにより、弾性締結機能を、案内装置の全ての潜在的な変動とは独立して、確実に繰り返し行うことが可能となる。加えて、弾性締結機能は、案内部分とは独立して、案内及び締結システムの少なくとも１つのばね要素の弾性変形に依拠する。すなわち当該変形は案内機能に寄与する第１装置の部品になんら影響を与えない。保持力は、ばね管１５の弾性変形のみにより定義され、バー１２の塑性変形の危険性やバー１２を屈曲させる危険性はない。保持力はまた、ばね管１５がリンク要素２５の締結を行っている際にばね管１５と直接共同する端部リンク要素２５の素材、とりわけ端部リンク要素２５の切欠き２２の素材、とは独立している。
【００３１】
上記から明らかなように、案内及び締結システムの案内及び締結機能の独立性は、２つの機能を果たす部品の物理的な分離により得られる。特に、このような部品は別個であり、すなわち各機能を果たすために異なった最適な素材を選ぶことができることを意味しており、各機能は他の機能を果たすために用いられる部品の影響を被ることなく、発揮することが可能である。
【００３２】
例として、案内バー１２の要素１２０、１３、１３’は、鋼種９０４Ｌタイプの素材、または金であってもよい。ばね管１５は、Ｎｉｖａｆｌｅｘ（登録商標）タイプのばね素材、または代替的にニチノールのようにニッケル及びチタンの超弾性合金であってもよい。もちろん管の形状は、その機械的性質を最適化するために適合されてよい。例えば、管はとりわけその両端で分割されてもよいし、代替的に１以上の切欠きを有してもよい。補完のため、弾性締結機能もまた、調節リンク要素と端部リンク要素に用いられる素材から独立している。このため、締結機能により発せられる保持力は、どのようなブレスレットに用いられたとしても、長い時間にわたり一定である。例として、案内及び締結システムと協働するブレスレットのリンク要素、とりわけ調節リンク要素及び端部リンク要素は、鋼種９０４Ｌまたは金、または代替的にプラチナ製であってよい。
【００３３】
図６から９は、本発明の第２実施形態にかかる長さ調節装置の案内及び締結システム１０を図示する。当該装置は、同様に留め金カバー２４に組み込まれ、ブレスレットの長さの調節に参加する。この調節は、第１実施形態に属する案内及び締結システム１０が、とりわけカバー２４の垂直壁２ｃ１、２ｃ２内に配置された縦方向溝または案内路６内を移動可能という点で、第１実施形態に関して説明した解決策と異なる。
【００３４】
図６、７は、短縮構成におけるブレスレットの配置を図示する。横方向調節リンク要素２３、２３’は、第２ピボットピン２６が第１軸Ａ１に対して留め金のカバー２４の内側に向かうよう位置される。ブレスレットの端部リンク要素２５とピボットピン２６は、ブレスレットの端部１ｂに対向するセットバック位置にある。上述の実施形態とは異なり、端部リンク要素２５は、ブレスレット長さ調節装置の並進運動に多少対応する運動を阻止するため、カバーの底２４０に配置された歯列８と協働する爪２８を含む。歯列８の歯は、留め金のカバー２４に対向するブレスレットの端部リンク要素２５のいくつかの位置を、従っていくつかのブレスレットの長さを定義する。図６、７において、爪２８は、最短のブレスレット位置に対応する、カバー２４の内側から歯列８の第１歯と協働する。
【００３５】
図８は、長さ調整を行うための、作動中の調節装置を図示する。ブレスレットの端部リンク要素２５は、調節リンク要素２３、２３’間に配置されたピボットピン２６周りに、所定の力によって手で回転され、これにより案内及び締結システムの締結装置の弾性締結から解放され、同時に爪２８が留め具のカバーの歯列８から解放される。これにより、調節装置は留め具の横方向溝内で自由に縦方向に移動可能になる。満足できるブレスレット長さに達したとき、端部リンク要素２５はカバーの底２４０に向けて折りたたまれ、これにより端部リンク要素２５が案内及び締結システム１０の締結装置内に弾性的に締結され、同時にその縦方向位置が、爪２８を留め金の歯列８の新たな歯に位置決めすることで不動化される。
【００３６】
案内及び締結システム１０は、より具体的に、図９の断面図に示される。案内及び締結システム１０は、第１実施形態のものと非常に似ている。案内及び締結システム１０は、バー１２を含み、当該バーは、その側端において、カバー２４の垂直壁２ｃ１、２ｃ２に縦方向に配置された溝内に収納されるパッド１７、１７’によって案内される点で第１実施形態のバーと異なる。このため、バー１２は、カバー２４の曲率に沿い、縦方向の並進運動に近似する運動で、溝によって案内される。
【００３７】
ばね管１５は、第１実施形態と類似の方法で、バー１２と同軸に配置される。リンク要素２５も同様に、ばね管１５へ適切な圧縮力を発生させるよう設計された形状の切欠き２２を含んでもよい。
【００３８】
第１実施形態に属する装置の仕様において、案内及び締結システム１０のばね管１５とバー１２との接続は、ばね管１５がバー１２と独立しており、逆もまた同様であるようにされる。具体的には、ばね管１５はその両端に、案内表面が設けられた部分１６、１６’を有し、案内表面は、例えばリンク要素の孔２３０、２３０’により具現化された、調節リンク要素２３、２３’の補完的案内表面と協働するよう設計される。このように、ばね管１５は、圧縮されるとばね管１５の内径がバー１２の外周と衝突しないように、配置され寸法づけられている。このため、ばね管は弾性変形自由であり、バー１２に対して影響を及ぼさず、その案内機能を妨げることがない。反対に、バー１２はその案内機能において、ばね管１５の弾性機能になんら影響を及ぼさない。 
【００３９】
長さ調節装置の２つの実施形態において、調節リンク要素２３、２３’によるばね管１５の案内は、ばね管１５の圧縮前または圧縮中に、切欠きの影響下でばね管１５を回転駆動可能または不可能なように、所定の余裕量をもって行うことができる。
【００４０】
図１０から１４は、図１に図示のものと同様の、長さ調節装置の第３実施形態に属する案内及び締結システム３０を図示する。ブレスレット長さ調節装置は、第１実施形態を参照して説明したのと同様の方法で作用する。
【００４１】
特に図１０に図示する案内及び締結システム３０は、調節リンク要素２３を案内することを意図する外周３３が設けられた、第１空洞ピン３４を含むバー３２を含む。バー３２は、第１空洞ピン３４内に収容され、とりわけバー３２の第１端部に配置されたスタッド３８経由で調節リンク要素２３を留め具カバー２４に接続することを意図する第２空洞ピン３９を含む。２つの空洞ピンは、リベット締め３７により接合される。巻きばね３５は、予圧構成で、バー３２の空洞の容積内に組み入れられる。巻きばね３５は、バーの空洞容積内に一部位置するボール４５と、ボールが移動可能であり、バー３２の第２端部から部分的に突出可能なように、協働する。図１０に記載の静止状態で、巻きばね３５はボール４５に対して、バー３２の外側方向の力を適用する。このためボール４５は、バーの内部側壁に対して当接状態に維持され、同時にバー３２の第２端部から突出する。
【００４２】
図１１は、２つの調節リンク要素２３、２３’を、回転軸Ａ１周りに留め金のカバー２４へ接続するために、上述した２つの案内及び締結装置３０、３０’を組み入れたブレスレット長さ調節装置を示す。図１１は、２つの調節リンク要素２３、２３’に接続された第２回転軸Ａ２が留め金の外側に向けられた構成である、ブレスレットの延伸構成を示す。ブレスレットの端部リンク要素２５は、第２回転軸Ａ２周りに配置されたピボットピン２６に固定される。
【００４３】
図１２は、ブレスレットの長さ調節装置の短縮構成を断面で示す。当該構成は、バー３２の周囲表面周りの案内による、軸Ａ１周りの調節リンク要素の後方回転により得られる。この原理は、第１実施形態を参照して説明したものと同様である。
【００４４】
図１３は、ブレスレットの長さ調節装置の短縮構成における、案内及び締結システム３０の弾性締結機能を示す。当該構成において、端部リンク要素２５は、案内及び締結システム３０のボール４５と協働する。当該端部リンク要素２５は、その側壁の１つに設けられる少なくとも１つの切欠き２９、２９’を含むという特徴を有する。各切欠き２９、２９’は、例えば、リンク要素２５の側壁に対して傾斜する１以上のフランクにより定められる切抜きの形態をとってもよい。このため、ブレスレットを延伸構成から短縮構成に変更するために調節装置を作動すると、巻きばね３５のそれぞれが、端部リンク要素２５の壁とボール４５との接触を通じて圧縮される。ボール４５は、巻きばね３５の押し出し力に逆らい、バー３２の空洞容積内に向かって押し戻される。当該作動は、壁がボールに作用する中間状態を図示する図１４に示される。図１３に示す最終位置において、ボール４５、４５’は、端部リンク要素２５の２つの側壁の切欠き２９、２９’のそれぞれに収容される。圧縮されたばね４５は、当該構成が安定し、弾性締結機能を果たすことを保証するために設置される。
【００４５】
このため、上記の記載から明らかなように、案内及び締結システムは、案内用と締結用の２つのそれぞれ独立した装置を結合するものである。案内装置は、バー３２と、具体的にはその周囲表面の少なくとも一部と、場合によりその第１端部とを含む。締結装置は、巻きばね３５とボール４５とを含む。２つの案内及び締結機能は、このように、互いに独立して行われる。締結機能は加えて、使用されるリンク要素から独立し、とりわけブレスレットのリンク要素に用いられる素材から独立している。保持力は、ばね３５の弾性変形のみにより定義され、切欠きの塑性変形のリスクも、バー１２を屈曲させるリスクもない。
【００４６】
更に、バー３２は軸Ａ１周りに実質的に円筒形であり、調節リンク要素２３の軸Ａ１周りの回転案内を提供する。加えて、巻きばね３５及びボール４５は同一軸Ａ１に沿って配置されており、ばねは軸Ａ１の方向に圧縮される。ボール４５は、軸Ａ１方向に移動可能である。巻きばね３５及びボール４５は、このように、軸Ａ１周りに配置される。バー３２は、巻きばね及びボール４５を取り囲む。軸Ａ１は、実質的に弾性締結装置の対称軸を形成する。
【００４７】
当該構造において、調節装置は、２つの案内及び締結システム３０、３０’を使用する。もちろん、１つの切欠きと協働する１つのシステムのみが設けられた調節装置を使用することも可能である。
【００４８】
更に、案内及び締結システム３０、３０’のボール４５、４５’は、ばねと切欠きとの間に適切なインターフェースを構成するのに適した形状のブロックやその他の部品と交換されてもよい。このため、ボールの文言は、必ずしも球体でない形状を含む、最も広い意味で用いられる。
【００４９】
図１５から１８は、留め金内の、ブレスレットの長さ調節装置の第４実施形態による、案内及び締結システム４０を示す。 
【００５０】
特に図１５で明らかな案内及び締結システムは、空洞ピンを形成するバー４２を含む。その外周４３の一部分は、調節リンク要素２３を案内するためのものである。巻きばね３５は、与圧された構成で、バー４２の空洞容積内に組み入れられる。巻きばね３５は、２つのボールと協働する。第１ボール４５は、端部リンク要素２５に向けられたバーの第１端に配置され、第２ボール４６は、留め金のカバー２４の壁２ｃ１、２ｃ２に向けられたバーの第２端に配置され、両者はバー３２の空洞容積内に一部位置しており、両者は移動可能であり、それぞれの端部から突出可能である。最後に、バー４２は、２つのボール４５、４６間にモバイルストップ４７を含む。考察：当該実施形態及び直前の実施形態において、ボールは、ばねと切欠きとの間に適切なインターフェースを構成するのに適した形状の、ブロックやその他の部品と交換することができる。
【００５１】
図１５は、第４実施形態による２つの案内及び締結システム４０、４０’を含む留め金を図示する。２つの案内及び締結システムは、同一の軸Ａ１に沿って整列され、両者は、直前の実施形態にかかる留め金と同様の方法で、中央位置の端部リンク要素２５と協働する。図１５は、２つの案内及び締結システム４０、４０’のそれぞれの第１ボール４５、４５’が、端部リンク要素２５の各側壁に形成された切欠き２９、２９’に収容される締結構成を示す。当該構成において、各案内及び締結システム４０、４０’は、端部リンク要素２５を締結し、選択された調節構成を安定状態に保持する。さらに、２つの案内及び締結システム４０、４０’のそれぞれの第２ボール４６、４６’は、カバー２４の垂直壁２ｃ１、２ｃ２にそれぞれ形成され、とりわけ機械加工で形成された切欠き９、９’内に収容される。
【００５２】
この特定の実施形態においては、直前の実施形態とは異なり、各バー４２、４２’は、上述の本発明の第２実施形態のように、留め金のカバーの垂直側壁２ｃ１、２ｃ２に形成された一対の溝６ａ、６ｂ、及び６ａ’、６ｂ’内を移動可能に設計される。このため、バーの外周４３、４３’は、留め金のカバーの一対の溝６ａ、６ｂ、及び６ａ’、６ｂ’内を案内可能に設計される案内パッド１７、１７’を収める、第２案内表面を形成する。このため、切欠き９、９’は、一対の溝６ａ、６ｂ、及び６ａ’、６ｂ’の軌道に沿って留め金カバー２４に対するリンク要素２５のいくつかの所定の縦位置を定義するため、溝６、６’の軌道上に重ねられる。このため、バー４２、４２’は、カバー２４の曲率に沿い、縦方向の並進運動に近似する運動で、溝によって案内され、切欠き９、９’によってその位置で止められる。
【００５３】
図１５及び１６に図示する構成において、端部リンク要素２５の側壁は、２つの案内及び締結システムの第１ボール４５、４５’に力を加える。当該力は、その内部ばね３５、３５’を圧縮させ、ストップ４７、４７’経由で第２ボール４６、４６’へ力を伝達する。これにより、端部リンク要素２５は、２つの案内及び締結システム４０、４０’によって弾性締結され、当該締結は、留め金のカバー内での２つのシステムの締結という第２効果を発揮させる。このため、各案内及び締結システム４０、４０’は、一方ではリンク要素と、他方では留め金と、とりわけ留め金カバー２４との、２つの同時弾性締結機能を果たす。
【００５４】
中央リンク要素２５が弾性締結から解放されると、同時に上述の２つの締結が解放される。これは、調節リンク要素２３、２３’とそれぞれの案内及び締結システム４０、４０’を溝にそって縦方向に移動可能にする効果を有する。
【００５５】
図１７に図示するように、当該構造は、二重調節を可能にする。特に、留め金の案内路内での上述の移動を実行可能にすることに加えて、調節リンク要素２３、２３’は、案内装置周りを回転運動可能になり、第１実施形態と同様の効果を、すなわち調節リンク要素２３、２３’に対する端部リンク要素２５の回転の効果を得ることができる。例示として、図１６は、切欠き９、９’内の第２ボール４６、４６’の所定の位置におけるブレスレットの短縮構成を図示する。一方、図１８は、切欠き９、９’内の第２ボール４６、４６’の所定の位置におけるブレスレットの延長構成を図示する。当該構成において、調節リンク要素２３、２３’は、図１６において占める位置に対して１８０度にわたり回転され、これにより追加の延長を提供する。 
【００５６】
図１９及び２０は、図１３に図示されたものに類似する、長さ調節装置の第５実施形態による案内及び締結システム５０を示す。ブレスレット長さ調節装置は、長さ調節装置の第３実施形態を参照して説明したものと類似の方法で作用する。
【００５７】
案内及び締結システム５０は、調節リンク要素２３を案内するための外周５３が設けられる、第１空洞ピン５４の役割を果たすバー５２を含む。このため、バー５２は長さ調節装置の当該実施形態にかかる案内及び締結システム５０の案内装置を形成する。当該バー５２は、追加で、バー５２の第１端に配置されたスタッド５８経由で、調節リンク要素２３を留め金カバー２４へ接続するためのものである。巻きばね５５は、カバー２４が組み立てられる際に、バー５２の空洞容積内に予圧構成で組み入れられる。巻きばね５５の機能は、スタッド５８を、留め金のカバー２４の垂直壁に配置された孔４内に安定状態に保持することである。
【００５８】
図１９及び２０でみられるように、本実施形態にかかるブレスレット長さ調節装置は、２つの調節リンク要素２３、２３’を回転軸Ａ１周りに留め金のカバー２４へ接続するため、上述の２つのバー５２、５２’を組み入れている。調節リンク要素２３、２３’は、追加で、先行する実施形態のように、ピン２６周りの連節された連結によって、端部リンク要素２５に接続される。 
【００５９】
調節リンク要素は、加えて、端部リンク要素２５の全幅にわたり横方向に延びる第２バー６２が収容される、円筒形開口部を含む。第２バーは、予圧構成の巻きばね６５が組み込まれる、空洞ピン６３を含む。当該巻きばね６５は、ピン６３の空洞容積内に一部位置する２つのボール７５、７５’と、ボールが移動可能であり、ピン６３の２つの横方向端部から部分的に突出可能なように、協働する。
【００６０】
図２０に記載の静止状態で、巻きばね６５はボール７５、７５’に対して、バー６２の外側方向の力をかける。このため、ボール７５、７５’は、ピン６３の内部側壁に対して当接状態に維持され、同時にピン６３の両端部から突出する。当該図２０は、ブレスレットの延伸構成にある、ブレスレットの長さ調節装置を図示し、延伸構成では、２つの調節リンク要素２３、２３’に接続された第２回転軸Ａ２は、留め金の外側に向けられる。ブレスレットの端部リンク要素２５は、第２回転軸Ａ２周りに配置されたピボットピン２６により調節リンク要素２３、２３’に固定される。
【００６１】
図１９は、ブレスレットの短縮構成における、ブレスレットの長さ調節装置を図示し、短縮構成では、バー５２、５２’の周囲表面周りの案内による軸Ａ１周りの調節リンク要素２３、２３’の後方回転により、ピボットピン２６が留め金カバー２４の内側に向けて位置されることを可能にする。 
【００６２】
当該短縮構成において、端部リンク要素２５のボール７５、７５’は、軸Ａ１に実質的に中心を有し、バー５２、５２’の軸の延長で、調節リンク要素２３、２３’の側壁に設けられる切欠き５９、５９’と協働する。切欠き２９、２９’は、例えば、調節リンク要素２３、２３’の側壁に対して傾斜する、１以上のフランクにより定められる切抜きの形態をとってもよい。調節リンク要素２３、２３’の側壁は、好ましくは垂直である。 
【００６３】
このため、ブレスレットをその延伸構成から短縮構成に変更するための調節装置の作動は、調節リンク要素２３、２３’の壁とボール７５、７５’との接触により巻きばね６５を圧縮させる。ボール７５、７５’は巻きばね６５の押し出し力に逆らい、ピン６３の空洞容積内に向かって押し戻される。図１９に示す最終位置において、ボール７５、７５’はそれぞれ、調節リンク要素２３、２３’の２つの側壁の切欠き２９、２９’のそれぞれに収容される。圧縮されたばね６５は、当該構成が安定し、弾性締結機能を果たすことを保証するために設置される。当該解決策における全てのバー５２、５２’、６２は、短縮構成において、従って締結機能の実施中、同一の横軸Ａ１に沿って整列する。従って、端部リンク要素２５に組み込まれた第２バー６２は、案内及び締結システム５０の締結装置を意味する。
【００６４】
考察：カバー２４の垂直壁は、単にリンク要素２３、２３’を移動させ、対向する孔４の１つにスタッド５８、５８’を挿入させることで追加の長さ調整を提供するため、縦方向に分布されるいくつかの孔４を提供する。
【００６５】
このため、上記の説明から明らかなように、当該第５実施形態は、同等の操作と同様の結果を達成するため、締結機能を形成する手段が、調節リンク要素２３、２３’と端部リンク要素２５との間に再配置された第３実施形態に対応する。
【００６６】
このため、前述同様、案内及び締結システムは案内用と締結用のそれぞれ２つの独立した装置を結合するものである。案内装置は、少なくとも１つのバー５２と、具体的には、その周囲表面５３の少なくとも一部を含む。締結装置は、巻きばね６５とボール７５、７５’とを含む。２つの案内及び締結機能は、このように互いに独立して行われる。締結機能は加えて、使用されるリンク要素から、とりわけブレスレットのリンク要素に使用される素材から、独立している。保持力は、ばね６５の弾性変形のみにより定義され、切欠きまたは複数の切欠きの塑性変形のリスクも、バーを屈曲させるリスクもない。
【００６７】
前述同様、案内及び締結システム３０、３０’のボール４５、４５’は、ばねと切欠きとの間に適切なインターフェースを構成するのに適した形状の、ブロックやその他の部品と交換されてもよい。このため、「ボール」とは、必ずしも球体でない形状を含む、最も広い意味で用いられる。
【００６８】
最後に、本発明は、改善された性能と改善された審美的結果を定義できるよう、コンパクトな組立体を得るために、例えば案内装置と組み合わせるなど、弾性締結装置の最適な配置に依拠する。２つの案内及び締結装置の組み合わせは、有利には、案内機能実施中、対称軸及びまたは回転軸であってもよい、同一の軸周りに行われる。代替策として、２つの装置が軸対称を示さなくてもよい。他の代替形態として、両者の軸はわずかにオフセットして平行でもよい。有利には、２つの装置のうち１つは、少なくとも他の装置を部分的に包囲する。２つの装置は、第２要素、例えば第２ブレスレットリンク要素または第２留め金リーフへ締結されるための同一の第一要素、例えば第１ブレスレットリンク要素または第１留め金リーフ内に配置される配置内で組み合わされてもよい。代替策として、第５実施形態で図示されるように、２つの要素の締結位置において２つの装置が同一の横軸上に整列されるよう、案内装置は第１要素内に配置され、弾性締結装置は第２要素内に配置されてもよい。
【００６９】
弾性締結装置の意味は、弾性的に可逆の態様で、１つの部品を１以上の他の部品と締結するために変形する、少なくとも１つのばね要素を含む装置である。弾性締結は、ブレスレットリンク要素に対して行われることができ、当該リンク要素は締結について受動的に（変形することなく）寄与する。この弾性締結は、ブレスレットまたは留め金の固定部分に対して行うこともできる。
【００７０】
更に、案内装置の意味は、１つの部品を異なる部品に対して案内するための、少なくとも１つの手段、とりわけ表面が設けられた装置である。案内は、回転及びまたは溝内の移動、とりわけ実質的に横方向移動または留め金カバーの曲率に対応する移動でもよい。案内は、ブレスレットリンク要素、特に調節リンク要素及びまたは留め金を用いて達成することもできる。
【００７１】
加えて、有利な実施形態によれば、２つの案内及び締結装置は独立している、つまり両者は他の装置に影響を与えることなく、それぞれの機能を発揮する。 
【００７２】
もちろん、上記の配置は例示的実施形態として説明されており、他の構造も、本発明の範囲から外れることなく考えることができる。例えば、１つまたは２つの案内及び締結システムを２つの調節リンク要素と用いたが、代替策として、異なる数の案内及び締結システムを用いることができ、異なる数の調節リンク要素を用いることができる。案内システムの一部を形成する案内表面はまた、例えばいくつかのリッジの形態を採用する案内手段で代替されてもよい。
【００７３】
有利には、案内及び締結システムは、上述のように、留め金内でブレスレットの長さを調節する装置と関連する。有利には、調節リンク要素及び場合により端部リンク要素の少なくとも一部は、留め金が形成するカバーの下に位置し、このため当該機構は隠されたままでいる。留め金は、２つまたは３つの展開リーフを有する、様々なタイプでよい。
【００７４】
代替策として、案内及び締結システムは、単に留め金の１つのリーフと関連し、当該リーフを連節し、締結するために用いてもよい。案内及び締結システムは、このように、形状の変化が求められるブレスレットに関連するあらゆるシステムに実施することができる。更なる代替策として、案内及び締結システムは、留め金に対する位置がどうであれ、ブレスレットリンク要素またはリンクと関連してもよい。
【００７５】
本発明はまた、少なくとも１つの案内及び締結装置と長さ調節装置を包含する、ブレスレット及びまたは留め金及びまたは腕時計に関する。 
【符号の説明】
【００７６】
１０    案内及び締結システム
１２    バー
２３    調節リンク要素
２４    カバー
２５    端部リンク要素
Ａ１    軸
【図１】
2018118030.tif 000003
【図２】
2018118030.tif 000004
【図３】
2018118030.tif 000005
【図４】
2018118030.tif 000006
【図５】
2018118030.tif 000007
【図６】
2018118030.tif 000008
【図７】
2018118030.tif 000009
【図８】
2018118030.tif 000010
【図９】
2018118030.tif 000011
【図１０】
2018118030.tif 000012
【図１１】
2018118030.tif 000013
【図１２】
2018118030.tif 000014
【図１３】
2018118030.tif 000015
【図１４】
2018118030.tif 000016
【図１５】
2018118030.tif 000017
【図１６】
2018118030.tif 000018
【図１７】
2018118030.tif 000019
【図１８】
2018118030.tif 000020
【図１９】
2018118030.tif 000021
【図２０】
2018118030.tif 000022
【外国語明細書】
2018118030000001.pdf
2018118030000002.pdf
2018118030000003.pdf
2018118030000004.pdf